(57)【特許請求の範囲】
【請求項１】
第１主面と、前記第１主面と反対側の第２主面とを有する炭化珪素基板を備え、
前記炭化珪素基板は、第１導電型を有する第１不純物領域と、
前記第１不純物領域上に設けられ、前記第１導電型と異なる第２導電型を有する第２不純物領域と、
前記第１不純物領域から隔てられるように前記第２不純物領域上に設けられ、前記第１主面を構成し、かつ前記第１導電型を有する第３不純物領域とを含み、
前記第１不純物領域は、第１ドリフト領域と、前記第１ドリフト領域と前記第２不純物領域とに挟まれた第２ドリフト領域とを有し、
前記第２ドリフト領域における第１導電型不純物の濃度の最大値は、前記第１ドリフト領域における前記第１導電型不純物の濃度の最大値よりも大きく、
前記第１主面には、前記第２ドリフト領域と、前記第２不純物領域と、前記第３不純物領域とを貫通し、かつ前記第１ドリフト領域に至る側部と、前記側部と連続して設けられた底部とにより規定されたトレンチが形成されており、さらに、
前記底部において前記第１ドリフト領域と接し、かつ前記側部において前記第２ドリフト領域と、前記第２不純物領域と、前記第３不純物領域とに接するゲート絶縁膜とを備え、
前記ゲート絶縁膜は、前記底部に接する第３主面と、前記第３主面と反対側の第４主面とを有し、
前記第２不純物領域と前記第２ドリフト領域と前記第１ドリフト領域とにより構成される領域において、前記第２主面に対して垂直な方向の位置をｘとし、前記第１導電型不純物の濃度と第２導電型不純物の濃度との差の絶対値をｙとしたとき、ｘとｙとの関係を示すプロファイルは、第１極小値と、前記第１極小値よりも前記第１主面側に位置する第２極小値とを有し、
前記第２主面に対して垂直な方向において、前記第１極小値を示す位置は、前記第３主面の位置と前記第４主面の位置との間にあり、
前記第２主面に対して垂直な方向において、前記第２極小値を示す位置は、前記第１主面の位置と前記第４主面の位置との間にあり、
前記炭化珪素基板は、前記第１ドリフト領域に接し、かつ前記第２導電型を有する電界緩和領域を有する、炭化珪素半導体装置。
【請求項２】
前記ゲート絶縁膜は、前記側部において前記第２不純物領域に接する第１部分と、前記底部において前記第１ドリフト領域に接する第２部分とを含み、
前記底部に対して垂直な方向における前記第２部分の厚みは、前記側部に対して垂直な方向における前記第１部分の厚みよりも大きい、請求項１に記載の炭化珪素半導体装置。
【請求項３】
前記第２部分の厚みを前記第１部分の厚みで除した値は、１．５以上８以下である、請求項２に記載の炭化珪素半導体装置。
【請求項４】
前記第２主面に対して垂直な方向における前記第１主面と前記底部との間の距離は、１μｍ以上１．５μｍ以下である、請求項１〜請求項３のいずれか１項に記載の炭化珪素半導体装置。
【請求項５】
前記第２主面に対して垂直な方向における前記第２不純物領域の厚みは、０．４μｍ以上０．８μｍ以下である、請求項１〜請求項４のいずれか１項に記載の炭化珪素半導体装置。
【請求項６】
前記第２ドリフト領域の前記第１導電型不純物の濃度の最大値を前記第１ドリフト領域の前記第１導電型不純物の濃度の最大値で除した値は、５以上１０以下である、請求項１〜請求項５のいずれか１項に記載の炭化珪素半導体装置。
【請求項７】
前記第２不純物領域の前記第２導電型不純物の濃度の最大値を前記第２ドリフト領域の前記第１導電型不純物の濃度の最大値で除した値は、１０以上１００以下である、請求項１〜請求項６のいずれか１項に記載の炭化珪素半導体装置。
【請求項８】
前記側部は、面方位｛０−３３−８｝を有する面を含む、請求項１〜請求項７のいずれか１項に記載の炭化珪素半導体装置。
【請求項９】
第１主面と、前記第１主面と反対側の第２主面とを有する炭化珪素基板を準備する工程を備え、
前記炭化珪素基板は、第１導電型を有する第１不純物領域と、
前記第１不純物領域上に設けられ、前記第１導電型と異なる第２導電型を有する第２不純物領域と、
前記第１不純物領域から隔てられるように前記第２不純物領域上に設けられ、前記第１主面を構成し、かつ前記第１導電型を有する第３不純物領域とを含み、
前記第１不純物領域は、第１ドリフト領域と、前記第１ドリフト領域と前記第２不純物領域とに挟まれた第２ドリフト領域とを有し、
前記第２ドリフト領域における第１導電型不純物の濃度の最大値は、前記第１ドリフト領域における前記第１導電型不純物の濃度の最大値よりも大きく、
前記第１ドリフト領域および前記第２ドリフト領域は、エピタキシャル成長により形成され、
前記第２不純物領域は、前記第２ドリフト領域に対してイオン注入が行われることにより形成され、さらに、
前記第１主面に、前記第２ドリフト領域と、前記第２不純物領域と、前記第３不純物領域とを貫通し、かつ前記第１ドリフト領域に至る側部と、前記側部と連続して設けられた底部とにより規定されるトレンチを形成する工程と、
前記底部において前記第１ドリフト領域と接し、かつ前記側部において前記第２ドリフト領域と、前記第２不純物領域と、前記第３不純物領域とに接するゲート絶縁膜を形成する工程とを備え、
前記ゲート絶縁膜は、前記底部に接する第３主面と、前記第３主面と反対側の第４主面とを有し、
前記第２不純物領域と前記第２ドリフト領域と前記第１ドリフト領域とにより構成される領域において、前記第２主面に対して垂直な方向の位置をｘとし、前記第１導電型不純物の濃度と第２導電型不純物の濃度との差の絶対値をｙとしたとき、ｘとｙとの関係を示すプロファイルは、第１極小値と、前記第１極小値よりも前記第１主面側に位置する第２極小値とを有し、
前記第２主面に対して垂直な方向において、前記第１極小値を示す位置は、前記第３主面の位置と前記第４主面の位置との間にあり、
前記第２主面に対して垂直な方向において、前記第２極小値を示す位置は、前記第１主面の位置と前記第４主面の位置との間にある、炭化珪素半導体装置の製造方法。
【請求項１０】
前記ゲート絶縁膜を形成する工程は、
前記側部および前記底部に接する珪素層を形成する工程と、
前記底部に対面する前記珪素層の部分上にマスク層を形成する工程と、
前記マスク層を用いて前記珪素層の一部を除去する工程と、
前記マスク層を除去する工程と、
前記マスク層を除去する工程後、前記底部上に前記珪素層の一部が残された状態で、前記炭化珪素基板を熱酸化する工程とを含む、請求項９に記載の炭化珪素半導体装置の製造方法。
【請求項１１】
前記トレンチを形成する工程は、熱エッチングにより行われる、請求項９または請求項１０に記載の炭化珪素半導体装置の製造方法。
【請求項１２】
前記第１ドリフト領域を形成する工程および前記第２ドリフト領域を形成する工程は、炭素および珪素を含むガスを用いて行われ、
前記第２ドリフト領域を形成する工程における前記珪素の原子数を前記炭素の原子数で除した値は、前記第１ドリフト領域を形成する工程における前記珪素の原子数を前記炭素の原子数で除した値よりも大きい、請求項９〜請求項１１のいずれか１項に記載の炭化珪素半導体装置の製造方法。
【請求項１３】
前記第１主面は、炭素面側であり、前記第２主面は、珪素面側である、請求項９〜請求項１２のいずれか１項に記載の炭化珪素半導体装置の製造方法。
【発明の詳細な説明】
【技術分野】
【０００１】
本発明は、炭化珪素半導体装置およびその製造方法に関する。
【背景技術】
【０００２】
近年、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）などの半導体装置の高耐圧化、低損失化、高温環境下での使用などを可能とするため、半導体装置を構成する材料として炭化珪素の採用が進められつつある。たとえば、国際公開２０１２／０１７７９８号（特許文献１）は、耐圧保持層の表面にトレンチが形成されたトレンチ型ＭＯＳＦＥＴの製造方法を開示している。
【先行技術文献】
【特許文献】
【０００３】
【特許文献１】国際公開２０１２／０１７７９８号
【発明の概要】
【発明が解決しようとする課題】
【０００４】
上記トレンチ型ＭＯＳＦＥＴの製造方法においては、耐圧保持層の表面にアルミニウムなどのｐ型不純物をイオン注入することにより、ｐ型ボディ領域が形成される。ｐ型ボディ領域は、耐圧保持層の深さ方向において、ｐ型不純物の濃度のピークを有する不純物濃度プロファイルを有する。ｐ型不純物の濃度のピークを示す位置より深い位置においては、ｐ型不純物の濃度は単調に減少する。つまり、ｐ型不純物は、チャネリング効果により、ｐ型不純物の濃度のピークを示す位置から１μｍ以上２μｍ以下程度の深い領域まで到達する。そのため、実効的なチャネル長が長くなり、ＭＯＳＦＥＴのオン抵抗が高くなる。
【０００５】
またｐ型不純物のチャネリング効果により、耐圧保持層の深さ方向おけるボディ領域の底部の位置が、トレンチの底部の位置に近くなる。特に、トレンチの底部上に厚いゲート絶縁膜が形成されていると、ボディ領域の底部と接するゲート絶縁膜の厚みが大きくなる。つまり、ボディ領域内におけるチャネル領域上のゲート絶縁膜の厚みが大きくなる。そのため、チャネルが反転しづらくなり、ＭＯＳＦＥＴのオン抵抗が高くなる。
【０００６】
耐圧保持層の深い領域までｐ型不純物が到達することを抑制するために、耐圧保持層のｎ型不純物の濃度を高め、ｐ型不純物の濃度を補償することが考えられる。しかしながら、耐圧保持層のｎ型不純物の濃度を高めると、トレンチの角部近傍におけるｎ型不純物の濃度も高くなる。そのため、電界緩和領域からの空乏層の伸長幅が短くなり、トレンチの角部における電界集中を十分に緩和することができなくなる。つまり、オン抵抗の低減とトレンチの角部における電界緩和とは、トレードオフの関係にある。
【０００７】
本発明の一態様の目的は、オン抵抗を低減し、かつトレンチの角部における電界集中を緩和可能な炭化珪素半導体装置およびその製造方法を提供することである。
【課題を解決するための手段】
【０００８】
本発明の一態様に係る炭化珪素半導体装置は、炭化珪素基板と、ゲート絶縁膜とを備えている。炭化珪素基板は、第１主面と、第１主面と反対側の第２主面とを有する。炭化珪素基板は、第１導電型を有する第１不純物領域と、第１不純物領域上に設けられ、第１導電型と異なる第２導電型を有する第２不純物領域と、第１不純物領域から隔てられるように第２不純物領域上に設けられ、第１主面を構成し、かつ第１導電型を有する第３不純物領域とを含む。第１不純物領域は、第１ドリフト領域と、第１ドリフト領域と第２不純物領域とに挟まれた第２ドリフト領域とを有する。第２ドリフト領域における第１導電型不純物の濃度の最大値は、第１ドリフト領域における第１導電型不純物の濃度の最大値よりも大きい。第１主面には、第２ドリフト領域と、第２不純物領域と、第３不純物領域とを貫通し、かつ第１ドリフト領域に至る側部と、側部と連続して設けられた底部とにより規定されたトレンチが形成されている。ゲート絶縁膜は、底部において第１ドリフト領域と接し、かつ側部において第２ドリフト領域と、第２不純物領域と、第３不純物領域とに接する。ゲート絶縁膜は、底部に接する第３主面と、第３主面と反対側の第４主面とを有する。第２不純物領域と第２ドリフト領域と第１ドリフト領域とにより構成される領域において、第２主面に対して垂直な方向の位置をｘとし、第１導電型不純物の濃度と第２導電型不純物の濃度との差の絶対値をｙとしたとき、ｘとｙとの関係を示すプロファイルは、第１極小値と、第１極小値よりも第１主面側に位置する第２極小値とを有する。第２主面に対して垂直な方向において、第１極小値を示す位置は、第３主面の位置と第４主面の位置との間にある。第２主面に対して垂直な方向において、第２極小値を示す位置は、第１主面の位置と第４主面の位置との間にある。
【０００９】
本発明の一態様に係る炭化珪素半導体装置の製造方法は以下の工程を備えている。第１主面と、第１主面と反対側の第２主面とを有する炭化珪素基板が準備される。炭化珪素基板は、第１導電型を有する第１不純物領域と、第１不純物領域上に設けられ、第１導電型と異なる第２導電型を有する第２不純物領域と、第１不純物領域から隔てられるように第２不純物領域上に設けられ、第１主面を構成し、かつ第１導電型を有する第３不純物領域とを含む。第１不純物領域は、第１ドリフト領域と、第１ドリフト領域と第２不純物領域とに挟まれた第２ドリフト領域とを有する。第２ドリフト領域における第１導電型不純物の濃度の最大値は、第１ドリフト領域における第１導電型不純物の濃度の最大値よりも大きい。第１ドリフト領域および第２ドリフト領域は、エピタキシャル成長により形成される。第２不純物領域は、第２ドリフト領域に対してイオン注入が行われることにより形成される。第１主面に、第２ドリフト領域と、第２不純物領域と、第３不純物領域とを貫通し、かつ第１ドリフト領域に至る側部と、側部と連続して設けられた底部とにより規定されるトレンチが形成される。底部において第１ドリフト領域と接し、かつ側部において第２ドリフト領域と、第２不純物領域と、第３不純物領域とに接するゲート絶縁膜が形成される。ゲート絶縁膜は、底部に接する第３主面と、第３主面と反対側の第４主面とを有する。第２不純物領域と第２ドリフト領域と第１ドリフト領域とにより構成される領域において、第２主面に対して垂直な方向の位置をｘとし、第１導電型不純物の濃度と第２導電型不純物の濃度との差の絶対値をｙとしたとき、ｘとｙとの関係を示すプロファイルは、第１極小値と、第１極小値よりも第１主面側に位置する第２極小値とを有する。第２主面に対して垂直な方向において、第１極小値を示す位置は、第３主面の位置と第４主面の位置との間にある。第２主面に対して垂直な方向において、第２極小値を示す位置は、第１主面の位置と第４主面の位置との間にある。
【発明の効果】
【００１０】
本発明の一態様によれば、オン抵抗を低減し、かつトレンチの角部における電界集中を緩和可能な炭化珪素半導体装置およびその製造方法を提供することができる。
【図面の簡単な説明】
【００１１】
【図１】実施の形態に係る炭化珪素半導体装置の構成を示す断面模式図である。
【図２】実施の形態に係る炭化珪素半導体装置が含む炭化珪素基板の構成を示す斜視模式図である。
【図３】図１の矢印Ｌに沿った方向における｜Ｎｄ−Ｎａ｜のプロファイルを概略的に示す図である。
【図４】実施の形態に係る炭化珪素半導体装置の変形例の構成を示す断面模式図である。
【図５】炭化珪素半導体装置が有する炭化珪素層の表面の微細構造を概略的に示す部分断面図である。
【図６】ポリタイプ４Ｈの六方晶における（０００−１）面の結晶構造を示す図である。
【図７】図６の線ＶＩＩ−ＶＩＩに沿う（１１−２０）面の結晶構造を示す図である。
【図８】図５の複合面の表面近傍における結晶構造を（１１−２０）面内において示す図である。
【図９】図５の複合面を（０１−１０）面から見た図である。
【図１０】巨視的に見たチャネル面および（０００−１）面の間の角度と、チャネル移動度との関係の一例を、熱エッチングが行われた場合と行われなかった場合との各々について示すグラフである。
【図１１】チャネル方向および＜０−１１−２＞方向の間の角度と、チャネル移動度との関係の一例を示すグラフである。
【図１２】図５の変形例を示す図である。
【図１３】実施の形態に係る炭化珪素半導体装置の製造方法を概略的に示すフロー図である。
【図１４】炭化珪素基板を形成する工程が含む製造工程を概略的に示すフロー図である。
【図１５】実施の形態に係る炭化珪素半導体装置の製造方法の第１工程を示す断面模式図である。
【図１６】図１５の矢印Ｘに沿った方向におけるＮｄのプロファイルを概略的に示す図である。
【図１７】ボディ領域を形成する工程におけるｐ型不純物イオンの注入プロファイルを概略的に示す図である。
【図１８】実施の形態に係る炭化珪素半導体装置の製造方法の第２工程を示す断面模式図である。
【図１９】図１８の矢印Ｘに沿った方向における｜Ｎｄ−Ｎａ｜のプロファイルを概略的に示す図である。
【図２０】ソース領域を形成する工程におけるｎ型不純物イオンの注入プロファイルを概略的に示す図である。
【図２１】実施の形態に係る炭化珪素半導体装置の製造方法の第３工程を示す断面模式図である。
【図２２】実施の形態に係る炭化珪素半導体装置の製造方法の第４工程を示す断面模式図である。
【図２３】ゲート絶縁膜を形成する工程が含む製造工程を概略的に示すフロー図である。
【図２４】実施の形態に係る炭化珪素半導体装置の製造方法の第５工程を示す断面模式図である。
【図２５】実施の形態に係る炭化珪素半導体装置の製造方法の第６工程を示す断面模式図である。
【図２６】実施の形態に係る炭化珪素半導体装置の製造方法の第７工程を示す断面模式図である。
【図２７】実施の形態に係る炭化珪素半導体装置の製造方法の第８工程を示す断面模式図である。
【図２８】実施の形態に係る炭化珪素半導体装置の製造方法の第９工程を示す断面模式図である。
【図２９】ゲート絶縁膜を形成する工程の変形例の第１工程を示す断面模式図である。
【図３０】ゲート絶縁膜を形成する工程の変形例の第２工程を示す断面模式図である。
【発明を実施するための形態】
【００１２】
［本願発明の実施形態の説明］
（１）本発明の一態様に係る炭化珪素半導体装置１は、炭化珪素基板１０と、ゲート絶縁膜１５とを備えている。炭化珪素基板１０は、第１主面１０ａと、第１主面１０ａと反対側の第２主面１０ｂとを有する。炭化珪素基板１０は、第１導電型を有する第１不純物領域１２と、第１不純物領域１２上に設けられ、第１導電型と異なる第２導電型を有する第２不純物領域１３と、第１不純物領域１２から隔てられるように第２不純物領域１３上に設けられ、第１主面１０ａを構成し、かつ第１導電型を有する第３不純物領域１４とを含む。第１不純物領域１２は、第１ドリフト領域１２ａと、第１ドリフト領域１２ａと第２不純物領域１３とに挟まれた第２ドリフト領域１２ｂとを有する。第２ドリフト領域１２ｂにおける第１導電型不純物の濃度の最大値は、第１ドリフト領域１２ａにおける第１導電型不純物の濃度の最大値よりも大きい。第１主面１０ａには、第２ドリフト領域１２ｂと、第２不純物領域１３と、第３不純物領域１４とを貫通し、かつ第１ドリフト領域１２ａに至る側部ＳＷと、側部ＳＷと連続して設けられた底部ＢＴとにより規定されたトレンチＴＲが形成されている。ゲート絶縁膜１５は、底部ＢＴにおいて第１ドリフト領域１２ａと接し、かつ側部ＳＷにおいて第２ドリフト領域１２ｂと、第２不純物領域１３と、第３不純物領域１４とに接する。ゲート絶縁膜１５は、底部ＢＴに接する第３主面１５ｂ１と、第３主面１５ｂ１と反対側の第４主面１５ｂ２とを有する。第２不純物領域１３と第２ドリフト領域１２ｂと第１ドリフト領域１２ａとにより構成される領域において、第２主面１０ｂに対して垂直な方向の位置をｘとし、第１導電型不純物の濃度と第２導電型不純物の濃度との差の絶対値をｙとしたとき、ｘとｙとの関係を示すプロファイルは、第１極小値Ｃ３と、第１極小値Ｃ３よりも第１主面１０ａ側に位置する第２極小値Ｃ４とを有する。第２主面１０ｂに対して垂直な方向において、第１極小値Ｃ３を示す位置ａ１は、第３主面１５ｂ１の位置ｂ１と第４主面１５ｂ２の位置ｂ２との間にある。第２主面１０ｂに対して垂直な方向において、第２極小値Ｃ４を示す位置ａ２は、第１主面１０ａの位置０と第４主面１５ｂ２の位置ｂ２との間にある。
【００１３】
上記（１）に係る炭化珪素半導体装置１によれば、第２主面１０ｂに対して垂直な方向において、第２極小値Ｃ４を示す位置ａ２は、第１主面１０ａの位置０と第４主面１５ｂ２の位置ｂ２との間にある。第２極小値Ｃ４を示す位置ａ２は、ボディ領域１３の底部の位置ａ２に対応する。つまり、ボディ領域１３の底部の位置ａ２が、第１主面１０ａの位置０と第４主面１５ｂ２の位置ｂ２との間にある。そのため、ボディ領域１３内におけるチャネル領域上のゲート絶縁膜１５の厚みが大きくなることを抑制することができる。従って、ボディ領域１３の底部の位置ａ２が、第３主面１５ｂ１の位置ｂ１と第４主面１５ｂ２の位置ｂ２との間にある場合と比較して、炭化珪素半導体装置１のオン抵抗を低減することができる。
【００１４】
また上記（１）に係る炭化珪素半導体装置１によれば、第２主面１０ｂに対して垂直な方向において、第１極小値Ｃ３を示す位置ａ１は、第３主面１５ｂ１の位置ｂ１と第４主面１５ｂ２の位置ｂ２との間にある。そのため、トレンチＴＲの底部ＢＴ近傍における第１ドリフト領域１２ａの部分における第１導電型不純物の濃度を低減することができる。結果として、電界緩和領域１７からの空乏層の伸長幅を大きくすることができるので、トレンチＴＲの角部に電界が集中することを抑制することができる。
【００１５】
（２）上記（１）に係る炭化珪素半導体装置１において、ゲート絶縁膜１５は、側部ＳＷにおいて第２不純物領域１３に接する第１部分１５ａと、底部ＢＴにおいて第１ドリフト領域１２ａに接する第２部分１５ｂとを含んでいてもよい。底部ＢＴに対して垂直な方向における第２部分１５ｂの厚みｔｂは、側部ＳＷに対して垂直な方向における第１部分１５ａの厚みｔｓよりも大きくてもよい。第１部分１５ａの厚みｔｓが小さいことにより、チャネルが反転しやすくなるため、炭化珪素半導体装置のオン抵抗を低減することができる。第２部分１５ｂの厚みｔｂが大きいことにより、底部ＢＴ上のゲート絶縁膜１５が破壊されることを抑制することができる。
【００１６】
（３）上記（２）に係る炭化珪素半導体装置１において、第２部分１５ｂの厚みｔｂを第１部分１５ａの厚みｔｓで除した値は、１．５以上８以下であってもよい。第２部分１５ｂの厚みｔｂを第１部分１５ａの厚みｔｓで除した値を１．５以上とすることにより、トレンチ底のゲート絶縁膜にかかる電界を緩和することができる。第２部分１５ｂの厚みｔｂを第１部分１５ａの厚みｔｓで除した値を８以下とすることにより、第２不純物領域１３に第２部分１５ｂを干渉させることなくオン抵抗を低く維持することができる。
【００１７】
（４）上記（１）〜（３）のいずれかに係る炭化珪素半導体装置１において、第２主面１０ｂに対して垂直な方向における第１主面１０ａと底部ＢＴとの間の距離Ｈ１は、１μｍ以上１．５μｍ以下であってもよい。距離Ｈ１を１μｍ以上とすることにより、トレンチ底が第２不純物領域１３の外部に位置することでオン抵抗の増加を抑制することができる。距離Ｈ１を１．５μｍ以下とすることにより、トレンチ底角部のゲート絶縁膜にかかる電界を緩和することができる。
【００１８】
（５）上記（１）〜（４）のいずれかに係る炭化珪素半導体装置１において、第２主面１０ｂに対して垂直な方向における第２不純物領域１３の厚みＨ２は、０．４μｍ以上０．８μｍ以下であってもよい。厚みＨ２を０．４μｍ以上とすることにより、ゲート閾値電圧を高くし、ドレイン耐圧を高く維持することができる。厚みＨ２を０．８μｍ以下とすることにより、第２不純物領域１３に第２部分１５ｂを干渉させることなくオン抵抗を低く維持することができる。
【００１９】
（６）上記（１）〜（５）のいずれかに係る炭化珪素半導体装置１において、第２ドリフト領域１２ｂの第１導電型不純物の濃度の最大値を第１ドリフト領域１２ａの第１導電型不純物の濃度の最大値で除した値は、５以上１０以下であってもよい。第２ドリフト領域１２ｂの第１導電型不純物の濃度の最大値を第１ドリフト領域１２ａの第１導電型不純物の濃度の最大値で除した値を５以上とすることにより、第２不純物領域１３から第１ドリフト領域にかけて存在する第２導電型不純物を補償することで、有効チャネル長を制御し、オン抵抗を低くすることができる。第２ドリフト領域１２ｂの第１導電型不純物の濃度の最大値を第１ドリフト領域１２ａの第１導電型不純物の濃度の最大値で除した値を１０以下とすることにより、第２不純物領域１３の第２導電型不純物の有効濃度を維持することができ、かつトレンチ底角部に接するゲート絶縁膜にかかる電界を低くすることができる。その結果ドレイン耐圧を維持することができる。
【００２０】
（７）上記（１）〜（６）のいずれかに係る炭化珪素半導体装置１において、第２不純物領域１３の第２導電型不純物の濃度の最大値を第２ドリフト領域１２ｂの第１導電型不純物の濃度の最大値で除した値は、１０以上１００以下であってもよい。第２不純物領域１３の第２導電型不純物の濃度の最大値を第２ドリフト領域１２ｂの第１導電型不純物の濃度の最大値で除した値を１０以上とすることにより、ゲート閾値電圧を高くし、ドレイン耐圧を高く維持することができる。第２不純物領域１３の第２導電型不純物の濃度の最大値を第２ドリフト領域１２ｂの第１導電型不純物の濃度の最大値で除した値を１００以下とすることにより、第２不純物領域１３から第１ドリフト領域にかけて存在する第２導電型不純物を補償することで、有効チャネル長を制御し、オン抵抗を低くすることができる。
【００２１】
（８）上記（１）〜（７）のいずれかに係る炭化珪素半導体装置１において、側部ＳＷは、面方位｛０−３３−８｝を有する面Ｓ１を含んでいてもよい。これにより、側部ＳＷにおけるチャネル抵抗を低減することができる。
【００２２】
（９）本発明の一態様に係る炭化珪素半導体装置１の製造方法は以下の工程を備えている。第１主面１０ａと、第１主面１０ａと反対側の第２主面１０ｂとを有する炭化珪素基板が準備される。炭化珪素基板１０は、第１導電型を有する第１不純物領域１２と、第１不純物領域１２上に設けられ、第１導電型と異なる第２導電型を有する第２不純物領域１３と、第１不純物領域１２から隔てられるように第２不純物領域１３上に設けられ、第１主面１０ａを構成し、かつ第１導電型を有する第３不純物領域１４とを含む。第１不純物領域１２は、第１ドリフト領域１２ａと、第１ドリフト領域１２ａと第２不純物領域１３とに挟まれた第２ドリフト領域１２ｂとを有する。第２ドリフト領域１２ｂにおける第１導電型不純物の濃度の最大値は、第１ドリフト領域１２ａにおける第１導電型不純物の濃度の最大値よりも大きい。第１ドリフト領域１２ａおよび第２ドリフト領域１２ｂは、エピタキシャル成長により形成される。第２不純物領域１３は、第２ドリフト領域１２ｂに対してイオン注入が行われることにより形成される。第１主面１０ａに、第２ドリフト領域１２ｂと、第２不純物領域１３と、第３不純物領域１４とを貫通し、かつ第１ドリフト領域１２ａに至る側部ＳＷと、側部ＳＷと連続して設けられた底部ＢＴとにより規定されるトレンチＴＲが形成される。底部ＢＴにおいて第１ドリフト領域１２ａと接し、かつ側部ＳＷにおいて第２ドリフト領域１２ｂと、第２不純物領域１３と、第３不純物領域１４とに接するゲート絶縁膜１５が形成される。ゲート絶縁膜１５は、底部ＢＴに接する第３主面１５ｂ１と、第３主面１５ｂ１と反対側の第４主面１５ｂ２とを有する。第２不純物領域１３と第２ドリフト領域１２ｂと第１ドリフト領域１２ａとにより構成される領域において、第２主面１０ｂに対して垂直な方向の位置をｘとし、第１導電型不純物の濃度と第２導電型不純物の濃度との差の絶対値をｙとしたとき、ｘとｙとの関係を示すプロファイルは、第１極小値Ｃ３と、第１極小値Ｃ３よりも第１主面１０ａ側に位置する第２極小値Ｃ４とを有する。第２主面１０ｂに対して垂直な方向において、第１極小値Ｃ３を示す位置ａ１は、第３主面１５ｂ１の位置ｂ１と第４主面１５ｂ２の位置ｂ２との間にある。第２主面１０ｂに対して垂直な方向において、第２極小値Ｃ４を示す位置ａ２は、第１主面１０ａの位置０と第４主面１５ｂ２の位置ｂ２との間にある。
【００２３】
上記（９）に係る炭化珪素半導体装置１の製造方法によれば、第２不純物領域１３は、第１ドリフト領域１２ａよりも高い第１導電型不純物濃度を有する第２ドリフト領域１２ｂに対して第２導電型不純物のイオン注入が行われることにより形成される。それゆえ、第２導電型不純物のチャネリングを抑制することができる。結果として、第２不純物領域１３の厚みＨ２を小さくすることができるので、チャネル長を短くすることができる。それゆえ、炭化珪素半導体装置１のオン抵抗を低減することができる。
【００２４】
また上記（９）に係る炭化珪素半導体装置１の製造方法によれば、第２主面１０ｂに対して垂直な方向において、第１極小値Ｃ３を示す位置ａ１は、第３主面１５ｂ１の位置ｂ１と第４主面１５ｂ２の位置ｂ２との間にある。そのため、トレンチＴＲの底部ＢＴ近傍における第１ドリフト領域１２ａの部分における第１導電型不純物の濃度を低減することができる。結果として、電界緩和領域からの空乏層の伸長幅を大きくすることができるので、トレンチＴＲの角部に電界が集中することを抑制することができる。
【００２５】
（１０）上記（９）に係る炭化珪素半導体装置１の製造方法において、ゲート絶縁膜１５を形成する工程は、側部ＳＷおよび底部ＢＴに接する珪素層４を形成する工程と、底部ＢＴに対面する珪素層４の部分上にマスク層５を形成する工程と、マスク層５を用いて珪素層４の一部を除去する工程と、マスク層５を除去する工程と、マスク層５を除去する工程後、底部ＢＴ上に珪素層４の一部が残された状態で、炭化珪素基板１０を熱酸化する工程とを含んでいてもよい。これにより、底部ＢＴ上のゲート絶縁膜１５の部分の厚みが、側部ＳＷ上のゲート絶縁膜１５の厚みよりも大きいゲート絶縁膜１５を、簡易な方法で製造することができる。
【００２６】
（１１）上記（９）または（１０）に係る炭化珪素半導体装置１の製造方法において、トレンチＴＲを形成する工程は、熱エッチングにより行われてもよい。これにより、効果的にトレンチＴＲの側部ＳＷを特殊面にすることができる。結果として、側部ＳＷにおけるチャネル抵抗を低減することができる。
【００２７】
（１２）上記（９）〜（１１）のいずれかに係る炭化珪素半導体装置１の製造方法において、第１ドリフト領域１２ａを形成する工程および第２ドリフト領域１２ｂを形成する工程は、炭素および珪素を含むガスを用いて行われてもよい。第２ドリフト領域１２ｂを形成する工程における珪素の原子数を炭素の原子数で除した値は、第１ドリフト領域１２ａを形成する工程における珪素の原子数を炭素の原子数で除した値よりも大きくてもよい。炭素は、珪素よりも窒素を取り込みやすい。そのため、第２ドリフト領域１２ｂを形成する工程において、ｎ型不純物としての窒素を取り込みやすくなる。結果として、効果的に、第２ドリフト領域１２ｂにおけるｎ型不純物の濃度を第１ドリフト領域１２ａにおけるｎ型不純物の濃度よりも高くすることができる。
【００２８】
（１３）上記（９）〜（１２）のいずれかに係る炭化珪素半導体装置１の製造方法において、第１主面１０ａは、炭素面側であり、第２主面１０ｂは、珪素面側であってもよい。炭素面は、珪素面よりも窒素を取り込みやすい。そのため、効果的に、第１主面１０ａ側に形成される第２ドリフト領域１２ｂのｎ型不純物の濃度を第１ドリフト領域１２ａにおけるｎ型不純物の濃度よりも高くすることができる。またトレンチＴＲの側部ＳＷを特殊面とすることができる。結果として、側部ＳＷにおけるチャネル抵抗を低減することができる。
【００２９】
［本願発明の実施形態の詳細］
以下、本発明の実施の形態について図に基づいて説明する。なお、以下の図面において、同一または相当する部分には同一の参照番号を付し、その説明は繰り返さない。また、本明細書中の結晶学的記載においては、個別方位を［］、集合方位を＜＞、個別面を（）、集合面を｛｝でそれぞれ示している。また結晶学上の指数が負であることは、通常、”−”（バー）を数字の上に付すことによって表現されるが、本明細書中では数字の前に負の符号を付している。
【００３０】
まず、本発明の実施の形態に係る炭化珪素半導体装置としてのＭＯＳＦＥＴの構成について説明する。
【００３１】
図１に示されるように、本実施の形態に係るＭＯＳＦＥＴ１は、炭化珪素基板１０と、ゲート絶縁膜１５と、ゲート電極２７と、層間絶縁膜２２と、ソース電極１６と、ソース配線１９と、ドレイン電極２０とを主に有している。炭化珪素基板１０は、炭化珪素単結晶基板１１と、炭化珪素単結晶基板１１上に設けられた炭化珪素エピタキシャル層２４を含む。炭化珪素基板１０は、第１主面１０ａと、第１主面１０ａと反対側の第２主面１０ｂとを有する。炭化珪素エピタキシャル層２４は第１主面１０ａを構成し、炭化珪素単結晶基板１１は第２主面１０ｂを構成する。
【００３２】
第１主面１０ａは、たとえば｛０００−１｝面または｛０００−１｝面から２°以上８°以下オフした面である。好ましくは、第１主面１０ａは、炭素面側であり、第２主面１０ｂが珪素面側である。第１主面１０ａは、たとえば（０００−１）面または（０００−１）面から２°以上８°以下オフした面である。炭化珪素単結晶基板１１は、たとえばポリタイプ４Ｈの六方晶炭化珪素である。炭化珪素単結晶基板１１は、たとえば窒素などのｎ型不純物を含みｎ型（第１導電型）の導電型を有する。炭化珪素エピタキシャル層２４は、ドリフト領域１２（第１不純物領域１２）と、ボディ領域１３（第２不純物領域１３）と、ソース領域１４（第３不純物領域１４）と、コンタクト領域１８とを主に有する。
【００３３】
ドリフト領域１２は、たとえば窒素などのｎ型不純物を含み、ｎ型の導電型を有する。ドリフト領域１２が含むｎ型不純物の濃度は、炭化珪素単結晶基板１１が含むｎ型不純物の濃度よりも低くてもよい。ドリフト領域１２は、第１ドリフト領域１２ａと、第２ドリフト領域１２ｂとを有する。第２ドリフト領域１２ｂは、第１ドリフト領域１２ａとボディ領域１３とに挟まれている。第２ドリフト領域１２ｂは、第１ドリフト領域１２ａおよびボディ領域１３に接している。第２ドリフト領域１２ｂにおけるｎ型不純物の濃度の最大値は、第１ドリフト領域１２ａにおけるｎ型不純物の濃度の最大値よりも大きい。
【００３４】
ボディ領域１３はドリフト領域１２上に設けられている。ボディ領域１３は、たとえばアルミニウムなどのｐ型不純物を含み、ｐ型（第２導電型）の導電型を有する。第２主面１０ｂに対して垂直な方向におけるボディ領域１３の厚みＨ２は、たとえば０．４μｍ以上０．８μｍ以下である。
【００３５】
ソース領域１４は、ボディ領域１３によってドリフト領域１２から隔てられるようにボディ領域１３上に設けられている。ソース領域１４は、たとえば窒素またはリンなどのｎ型不純物を含んでおり、ｎ型の導電型を有する。ソース領域１４は、炭化珪素基板１０の第１主面１０ａを構成する。ソース領域１４が含むｎ型不純物の濃度は、第２ドリフト領域１２ｂが含むｎ型不純物の濃度よりも高くてもよい。
【００３６】
コンタクト領域１８は、ボディ領域１３と、ソース領域１４とに接している。コンタクト領域１８は、たとえばアルミニウムなどのｐ型不純物を含んでおり、ｐ型の導電型を有する。コンタクト領域１８が含むｐ型不純物の濃度は、ボディ領域１３が含むｐ型不純物の濃度よりも高くてもよい。コンタクト領域１８は、ボディ領域１３と第１主面１０ａとを繋ぐようにソース領域１４を貫通して設けられている。
【００３７】
炭化珪素基板１０の第１主面１０ａにはトレンチＴＲが形成されている。トレンチＴＲは、側部ＳＷと、底部ＢＴとにより規定されている。側部ＳＷは、第２ドリフト領域１２ｂとボディ領域１３とソース領域１４を貫通し、かつ第１ドリフト領域１２ａに至っている。底部ＢＴは、側部ＳＷと連続して設けられている。底部ＢＴは、ドリフト領域１２に位置している。好ましくは、側部ＳＷと底部ＢＴとがなす角度θは９０°よりも大きい。第２主面１０ｂに対して垂直な方向における第１主面１０ａと底部ＢＴとの間の距離Ｈ１は、たとえば１μｍ以上１．５μｍ以下である。
【００３８】
断面視（炭化珪素基板１０の第２主面１０ｂと平行な方向から見た視野）において、トレンチＴＲの幅が底部ＢＴに向かってテーパ状に狭まるように側部ＳＷが傾斜していてもよい。側部ＳＷは、（０００−１）面に対して５２°以上７２°以下傾斜していることが好ましい。なお、側部ＳＷは第１主面１０ａに対して垂直に形成されていてもよい。底部ＢＴは、第１主面１０ａとほぼ平行な平坦な形状を有してもよい。断面視において、トレンチＴＲの形状は、Ｕ字状またはＶ字状の形状を有してもよい。好ましくは、側部ＳＷは、特殊面を含んでいる。特殊面の構成の詳細は後述する。
【００３９】
図２は、図１に示すＭＯＳＦＥＴ１から炭化珪素基板１０を取り出して示した図である。図２に示されるように、ソース領域１４、ボディ領域１３およびドリフト領域１２は、トレンチＴＲの側部ＳＷに露出している。ドリフト領域１２は、トレンチＴＲの側部ＳＷおよび底部ＢＴの各々に露出している。底部ＢＴと側部ＳＷとがつながる部分はトレンチＴＲの角部を構成している。平面視（炭化珪素基板１０の第２主面１０ｂに対して垂直な方向から見た視野）において、トレンチＴＲは、ハニカム構造を有する網目を構成するように延在していてもよい。
【００４０】
図２に示されるように、平面視において、ソース領域１４およびコンタクト領域１８により構成された炭化珪素基板１０の第１主面１０ａは、六角形の形状を有する。好ましくは、平面視において、ボディ領域１３、ソース領域１４およびコンタクト領域１８は、六角形の外形を有する。好ましくは、単位セルの形状は、六角形であり、より好ましくは正六角形である。単位セルの形状は、四角形などの多角形であってもよい。平面視におけるボディ領域１３、ソース領域１４およびコンタクト領域１８の形状は、単位セルの形状と同じであることが好ましい。
【００４１】
図１に示されるように、ゲート絶縁膜１５は、トレンチＴＲの底部ＢＴおよび側部ＳＷと、第１主面１０ａの一部とに接する。ゲート絶縁膜１５は、たとえば二酸化珪素を含む材料により構成される。ゲート絶縁膜１５は、たとえば熱酸化膜である。ゲート絶縁膜１５は、底部ＢＴにおいて第１ドリフト領域１２ａと接し、かつ側部ＳＷにおいて第２ドリフト領域１２ｂと、ボディ領域１３と、ソース領域１４とに接する。ゲート絶縁膜１５は、底部ＢＴに接する第３主面１５ｂ１と、第３主面１５ｂ１と反対側の第４主面１５ｂ２とを有する。
【００４２】
ゲート絶縁膜１５は、側部ＳＷにおいてボディ領域１３に接する第１部分１５ａと、底部ＢＴにおいて第１ドリフト領域１２ａに接する第２部分１５ｂとを含んでいてもよい。底部ＢＴに対して垂直な方向における第２部分１５ｂの厚みｔｂは、側部ＳＷに対して垂直な方向における第１部分１５ａの厚みｔｓよりも大きくてもよい。第２部分１５ｂの厚みｔｂを第１部分１５ａの厚みｔｓで除した値は、たとえば１．５以上８以下である。
【００４３】
次に、炭化珪素エピタキシャル層中における不純物濃度のプロファイルについて説明する。
【００４４】
図３は、図１の矢印Ｌに沿った方向における｜Ｎｄ−Ｎａ｜のプロファイルを概略的に示す図である。ここで、Ｎｄは、ｎ型不純物（第１導電型不純物）の濃度である。Ｎａは、ｐ型不純物（第２導電型不純物）の濃度である。｜Ｎｄ−Ｎａ｜は、ｎ型不純物の濃度とｐ型不純物の濃度との差の絶対値ｙである。位置ｘは、第２主面１０ｂに対して垂直な方向の位置である。位置０は、ソース領域１４により構成される第１主面１０ａの部分の位置である。位置ｅは、炭化珪素単結晶基板１１と炭化珪素エピタキシャル層２４との境界面１１ａの位置である。位置０から位置ａ３までの領域はソース領域１４である。位置ａ３から位置ａ２までの領域はボディ領域１３である。位置ａ２から位置ａ１までの領域は第２ドリフト領域１２ｂである。位置ａ１から位置ｅまでの領域は第１ドリフト領域１２ａである。
【００４５】
ボディ領域１３と第２ドリフト領域１２ｂと第１ドリフト領域１２ａとにより構成される領域において、位置ｘと、ｎ型不純物の濃度とｐ型不純物の濃度との差の絶対値ｙとの関係を示すプロファイルは、第１極小値Ｃ３と、第１極小値Ｃ３よりも第１主面１０ａ側に位置する第２極小値Ｃ４とを有する。第２主面１０ｂに対して垂直な方向において、第１極小値Ｃ３を示す位置ａ１は、ゲート絶縁膜１５の第３主面１５ｂ１の位置ｂ１と第４主面１５ｂ２の位置ｂ２との間にある。第２主面１０ｂに対して垂直な方向において、第２極小値Ｃ４を示す位置ａ２は、第１主面１０ａの位置０とゲート絶縁膜１５の第４主面１５ｂ２の位置ｂ２との間にある。ｎ型不純物の濃度とｐ型不純物の濃度との差の絶対値ｙが第１極小値Ｃ３を示す位置ａ２は、第１ドリフト領域１２ａと第２ドリフト領域１２ｂとの境界であってもよい。
【００４６】
好ましくは、第２ドリフト領域１２ｂのｎ型不純物の濃度の最大値を第１ドリフト領域１２ａのｎ型不純物の濃度の最大値で除した値は、５以上１０以下である。第１ドリフト領域１２ａが含むｎ型不純物の濃度は、たとえば３×１０１５ｃｍ−３以上２×１０１６ｃｍ−３以下である。第２ドリフト領域１２ｂが含むｎ型不純物の濃度は、たとえば２×１０１６ｃｍ−３以上１×１０１７ｃｍ−３以下である。
【００４７】
好ましくは、ボディ領域１３のｐ型不純物の濃度の最大値を第２ドリフト領域１２ｂのｎ型不純物の濃度の最大値で除した値は、１０以上１００以下であってもよい。
【００４８】
図３に示されるように、ソース領域１４とボディ領域１３との境界の位置ａ３において、位置ｘとｎ型不純物の濃度とｐ型不純物の濃度との差の絶対値ｙとの関係を示すプロファイルは、極小値を有する。位置ａ３は、位置ａ２と位置０との間にある。ソース領域１４におけるｎ型不純物の濃度とｐ型不純物の濃度との差の絶対値ｙの最大値Ｃ７は、ボディ領域１３におけるｎ型不純物の濃度とｐ型不純物の濃度との差の絶対値ｙの最大値Ｃ５よりも大きくてもよい。位置０におけるｎ型不純物の濃度とｐ型不純物の濃度との差の絶対値ｙの値Ｃ６は、最大値Ｃ７よりも小さくてもよい。ボディ領域１３におけるｎ型不純物の濃度とｐ型不純物の濃度との差の絶対値ｙの最大値Ｃ５は、第２ドリフト領域１２ｂにおけるｎ型不純物の濃度とｐ型不純物の濃度との差の絶対値ｙの最大値Ｃ２よりも大きくてもよい。
【００４９】
図１に示されるように、ゲート電極２７は、トレンチＴＲの内部においてゲート絶縁膜１５に接するようにトレンチＴＲの内部に設けられている。ゲート電極２７は、たとえば不純物を含むポリシリコンからなる。ゲート電極２７は、ソース領域１４と、ボディ領域１３と、ドリフト領域１２とに対面するように設けられている。
【００５０】
ソース電極１６は、第１主面１０ａにおいてソース領域１４およびコンタクト領域１８の各々と接している。ソース電極１６は、たとえばＴｉと、Ａｌと、Ｓｉとを含む材料からなる。好ましくは、ソース電極１６は、ソース領域１４およびコンタクト領域１８とオーミック接合している。ソース配線１９はソース電極１６に接している。ソース配線１９は、たとえばアルミニウムを含む材料からなる。
【００５１】
層間絶縁膜２２は、ゲート電極２７およびゲート絶縁膜１５に接して設けられている。層間絶縁膜２２は、たとえば二酸化珪素を含む材料からなる。層間絶縁膜２２は、ゲート電極２７とソース電極１６とを電気的に絶縁している。ドレイン電極２０は、第２主面１０ｂにおいて炭化珪素単結晶基板１１と接しており、ドリフト領域１２と電気的に接続されている。ドレイン電極２０は、たとえばＮｉＳｉまたはＴｉＡｌＳｉを含む材料からなる。
【００５２】
まず、本実施の形態に係るＭＯＳＦＥＴの変形例の構成について説明する。
図４に示されるように、炭化珪素基板１０は、電界緩和領域１７を含んでいてもよい。電界緩和領域１７は、たとえばアルミニウムなどのｐ型不純物を含んでおり、ｐ型の導電型を有する。電界緩和領域１７が含むｐ型不純物の濃度の最大値は、たとえば７×１０１７ｃｍ−３である。電界緩和領域１７は、ボディ領域１３と対面していてもよい。電界緩和領域１７は、たとえば第１ドリフト領域１２ａに接している。好ましくは、電界緩和領域１７は、第２主面１０ｂに対して垂直な方向において、位置ｂ１と位置ｅとの間に位置している。電界緩和領域１７は、ボディ領域１３に接続されていてもよいし、ボディ領域１３から離間していてもよい。
【００５３】
次に、特殊面の構成について説明する。
上述した側部ＳＷは、特にボディ領域１３上の部分において、特殊面を有する。特殊面を有する側部ＳＷは、図５に示すように、面方位｛０−３３−８｝を有する面Ｓ１（第１の面）を含む。言い換えれば、トレンチＴＲの側部ＳＷ上においてボディ領域１３には、面Ｓ１を含む表面が設けられている。面Ｓ１は好ましくは面方位（０−３３−８）を有する。
【００５４】
より好ましくは、側部ＳＷは面Ｓ１を微視的に含み、側部ＳＷはさらに、面方位｛０−１１−１｝を有する面Ｓ２（第２の面）を微視的に含む。ここで「微視的」とは、原子間隔の２倍程度の寸法を少なくとも考慮する程度に詳細に、ということを意味する。このように微視的な構造の観察方法としては、たとえばＴＥＭを用いることができる。面Ｓ２は好ましくは面方位（０−１１−１）を有する。
【００５５】
好ましくは、側部ＳＷの面Ｓ１および面Ｓ２は、面方位｛０−１１−２｝を有する複合面ＳＲを構成している。すなわち複合面ＳＲは、面Ｓ１およびＳ２が周期的に繰り返されることによって構成されている。このような周期的構造は、たとえば、ＴＥＭまたはＡＦＭ（Ａｔｏｍｉｃ  Ｆｏｒｃｅ  Ｍｉｃｒｏｓｃｏｐｙ）により観察し得る。この場合、複合面ＳＲは｛０００−１｝面に対して巨視的に６２°のオフ角を有する。ここで「巨視的」とは、原子間隔程度の寸法を有する微細構造を無視することを意味する。このように巨視的なオフ角の測定としては、たとえば、一般的なＸ線回折を用いた方法を用い得る。好ましくは、複合面ＳＲは、面方位（０−１１−２）を有する。この場合、複合面ＳＲは（０００−１）面に対して巨視的に６２°のオフ角を有する。
【００５６】
ＴＥＭとしては、たとえば日本電子株式会社製のＪＥＭ−２１００Ｆが使用可能である。試料分析領域は、たとえば１０μｍ×１０μｍ×０．１μｍである。加速電圧は、たとえば２００ｋＶである。ＡＦＭとしては、たとえば日本ビーコ株式会社製のＤｉｍｅｎｓｉｏｎ  Ｉｃｏｎ  ＳＰＭ  Ｓｙｓｔｅｍが使用可能である。試料分析領域は、たとえば９０μｍ×９０μｍである。スキャンレートは、たとえば０．２Ｈｚである。チップ速度は、たとえば８μｍ／秒である。振幅セットポイントは、たとえば１５．５ｎｍである。Ｚレンジは、たとえば１μｍである。試料に合わせて上記各パラメータが調整される。Ｘ線回折装置としては、たとえば株式会社リガク製のＳｍａｒｔＬａｂが使用可能である。試料分析領域は、たとえば０．３ｍｍφ以上０．８ｍｍφ以下である。使用管球は、たとえばＣｕである。出力は、たとえば４５ｋＶ、８０ｍＡである。たとえば、Ｘ線回折装置で第１主面１０ａが（０００−１）面であることを確認した後、ＡＦＭでトレンチＴＲの側部ＳＷが測定される。
【００５７】
好ましくは、チャネル面上においてキャリアが流れる方向であるチャネル方向ＣＤは、上述した周期的繰り返しが行われる方向に沿っている。
【００５８】
次に、複合面ＳＲの詳細な構造について説明する。
一般に、ポリタイプ４Ｈの炭化珪素単結晶を（０００−１）面から見ると、図６に示すように、Ｓｉ原子（またはＣ原子）は、Ａ層の原子（図中の実線）と、この下に位置するＢ層の原子（図中の破線）と、この下に位置するＣ層の原子（図中の一点鎖線）と、この下に位置するＢ層の原子（図示せず）とが繰り返し設けられている。つまり４つの層ＡＢＣＢを１周期としてＡＢＣＢＡＢＣＢＡＢＣＢ・・・のような周期的な積層構造が設けられている。
【００５９】
図７に示すように、（１１−２０）面（図６の線ＶＩＩ−ＶＩＩの断面）において、上述した１周期を構成する４つの層ＡＢＣＢの各層の原子は、（０−１１−２）面に完全に沿うようには配列されていない。図７においてはＢ層の原子の位置を通るように（０−１１−２）面が示されており、この場合、Ａ層およびＣ層の各々の原子は（０−１１−２）面からずれていることがわかる。このため、炭化珪素単結晶の表面の巨視的な面方位、すなわち原子レベルの構造を無視した場合の面方位が（０−１１−２）に限定されたとしても、この表面は、微視的には様々な構造をとり得る。
【００６０】
図８に示すように、複合面ＳＲは、面方位（０−３３−８）を有する面Ｓ１と、面Ｓ１につながりかつ面Ｓ１の面方位と異なる面方位を有する面Ｓ２とが交互に設けられることによって構成されている。面Ｓ１および面Ｓ２の各々の長さは、Ｓｉ原子（またはＣ原子）の原子間隔の２倍である。なお面Ｓ１および面Ｓ２が平均化された面は、（０−１１−２）面（図７）に対応する。
【００６１】
図９に示すように、複合面ＳＲを（０１−１０）面から見て単結晶構造は、部分的に見て立方晶と等価な構造（面Ｓ１の部分）を周期的に含んでいる。具体的には複合面ＳＲは、上述した立方晶と等価な構造における面方位（００１）を有する面Ｓ１と、面Ｓ１につながりかつ面Ｓ１の面方位と異なる面方位を有する面Ｓ２とが交互に設けられることによって構成されている。このように、立方晶と等価な構造における面方位（００１）を有する面（図５においては面Ｓ１）と、この面につながりかつこの面方位と異なる面方位を有する面（図５においては面Ｓ２）とによって表面を構成することは４Ｈ以外のポリタイプにおいても可能である。ポリタイプは、たとえば６Ｈまたは１５Ｒであってもよい。
【００６２】
次に図１０を参照して、側部ＳＷの結晶面と、チャネル面の移動度ＭＢとの関係について説明する。図１０のグラフにおいて、横軸は、チャネル面を有する側部ＳＷの巨視的な面方位と（０００−１）面とのなす角度Ｄ１を示し、縦軸は移動度ＭＢを示す。プロット群ＣＭは側部ＳＷが熱エッチングによる特殊面として仕上げられた場合に対応し、プロット群ＭＣはそのような熱エッチングがなされない場合に対応する。
【００６３】
プロット群ＭＣにおける移動度ＭＢは、チャネル面の表面の巨視的な面方位が（０−３３−８）のときに最大となった。この理由は、熱エッチングが行われない場合、すなわち、チャネル表面の微視的な構造が特に制御されない場合においては、巨視的な面方位が（０−３３−８）とされることによって、微視的な面方位（０−３３−８）、つまり原子レベルまで考慮した場合の面方位（０−３３−８）が形成される割合が確率的に高くなったためと考えられる。
【００６４】
一方、プロット群ＣＭにおける移動度ＭＢは、チャネル面の表面の巨視的な面方位が（０−１１−２）のとき（矢印ＥＸ）に最大となった。この理由は、図８および図９に示すように、面方位（０−３３−８）を有する多数の面Ｓ１が面Ｓ２を介して規則正しく稠密に配置されることで、チャネル面の表面において微視的な面方位（０−３３−８）が占める割合が高くなったためと考えられる。
【００６５】
なお移動度ＭＢは複合面ＳＲ上において方位依存性を有する。図１１に示すグラフにおいて、横軸はチャネル方向と＜０−１１−２＞方向との間の角度Ｄ２を示し、縦軸はチャネル面の移動度ＭＢ（任意単位）を示す。破線はグラフを見やすくするために補助的に付してある。このグラフから、チャネル移動度ＭＢを大きくするには、チャネル方向ＣＤ（図５）が有する角度Ｄ２は、０°以上６０°以下であることが好ましく、ほぼ０°であることがより好ましいことがわかった。
【００６６】
図１２に示すように、側部ＳＷは複合面ＳＲに加えてさらに面Ｓ３（第３の面）を含んでもよい。より具体的には、面Ｓ３および複合面ＳＲが周期的に繰り返されることによって構成された複合面ＳＱを側部ＳＷが含んでもよい。この場合、側部ＳＷの｛０００−１｝面に対するオフ角は、理想的な複合面ＳＲのオフ角である６２°からずれる。このずれは小さいことが好ましく、±１０°の範囲内であることが好ましい。このような角度範囲に含まれる表面としては、たとえば、巨視的な面方位が{０−３３−８}面となる表面がある。より好ましくは、側部ＳＷの（０００−１）面に対するオフ角は、理想的な複合面ＳＲのオフ角である６２°からずれる。このずれは小さいことが好ましく、±１０°の範囲内であることが好ましい。このような角度範囲に含まれる表面としては、たとえば、巨視的な面方位が（０−３３−８）面となる表面がある。
【００６７】
このような周期的構造は、たとえば、ＴＥＭまたはＡＦＭにより観察し得る。測定装置、試料分析領域および測定条件の具体例は、上述の通りである。
【００６８】
次に、本実施の形態に係るＭＯＳＦＥＴ１の製造方法について説明する。
まず、炭化珪素基板を準備する工程（Ｓ１０：図１３）が実施される。図１４に示されるように、炭化珪素基板を準備する工程は、第１ドリフト領域をエピタキシャル成長する工程（Ｓ１１：図１４）と、第２ドリフト領域をエピタキシャル成長する工程（Ｓ１２：図１４）と、イオン注入工程（Ｓ１３：図１４）とを主に有している。第１ドリフト領域をエピタキシャル成長する工程（Ｓ１１：図１４）は、たとえば炭素および珪素を含むガスを用いて行われる。具体的には、たとえば原料ガスとしてシラン（ＳｉＨ4）とプロパン（Ｃ3Ｈ8）との混合ガスを用い、キャリアガスとしてたとえば水素ガス（Ｈ2）を用いたＣＶＤ（Ｃｈｅｍｉｃａｌ  Ｖａｐｏｒ  Ｄｅｐｏｓｉｔｉｏｎ）法により、炭化珪素単結晶基板１１上に第１ドリフト領域１２ａが形成される。エピタキシャル成長の際、不純物として、たとえば窒素（Ｎ）またはリン（Ｐ）などが導入される。
【００６９】
次に、第２ドリフト領域をエピタキシャル成長する工程（Ｓ１２：図１４）が実施される。第２ドリフト領域をエピタキシャル成長する工程は、たとえば炭素および珪素を含むガスを用いて行われる。具体的には、たとえば原料ガスとしてシラン（ＳｉＨ4）とプロパン（Ｃ3Ｈ8）との混合ガスを用い、キャリアガスとしてたとえば水素ガス（Ｈ2）を用いたＣＶＤ法により、第１ドリフト領域１２ａ上に第２ドリフト領域１２ｂが形成される（図１５参照）。エピタキシャル成長の際、不純物として、たとえば窒素（Ｎ）またはリン（Ｐ）などが導入される。
【００７０】
図１６に示されるように、第２ドリフト領域１２ｂが含むｎ型不純物の濃度が、第１ドリフト領域１２ａが含むｎ型不純物の濃度よりも高くなるように、第１ドリフト領域１２ａおよび第２ドリフト領域１２ｂが、エピタキシャル成長により形成される。好ましくは、第２ドリフト領域を形成する工程における珪素の原子数を炭素の原子数で除した値は、第１ドリフト領域を形成する工程における珪素の原子数を炭素の原子数で除した値よりも大きい。つまり、第２ドリフト領域を形成する工程における雰囲気ガスのＳｉ／Ｃ比は、第１ドリフト領域を形成する工程における雰囲気ガスのＳｉ／Ｃ比よりも大きい。
【００７１】
図１６に示されるように、第２主面１０ｂに対して垂直な方向において、第１ドリフト領域１２ａが含むｎ型不純物の濃度Ｃ１と、第２ドリフト領域１２ｂが含むｎ型不純物の濃度Ｃ２は、ほぼ一定である。好ましくは、第２ドリフト領域１２ｂのｎ型不純物の濃度Ｃ２を第１ドリフト領域１２ａのｎ型不純物の濃度Ｃ１で除した値は、５以上１０以下である。
【００７２】
次に、イオン注入工程（Ｓ１３：図１４）が実施される。具体的には、第２ドリフト領域１２ｂおよび第１ドリフト領域１２ａに対して、たとえばアルミニウムなどのｐ型不純物がイオン注入される。図１７に示されるように、第１ドリフト領域１２ａと第２ドリフト領域１２ｂとの境界の位置ａ１におけるｐ型不純物の濃度が第１ドリフト領域１２ａのｎ型不純物の濃度Ｃ１よりも低くなり、かつ第２ドリフト領域１２ｂ内（位置０から位置ａ１までの間の領域）におけるｐ型不純物の濃度の最大値Ｃ８（極大値Ｃ８）が第２ドリフト領域１２ｂのｎ型不純物の濃度Ｃ２よりも高くなるように、第１ドリフト領域１２ａおよび第２ドリフト領域１２ｂの双方にｐ型不純物が導入される。これにより、第２ドリフト領域１２ｂと接するボディ領域１３が形成される（図１８参照）。ボディ領域１３は、第１主面１０ａを構成する。なお、図１７において、一点鎖線で示されるプロファイルは、図１６に示すプロファイルと同じである。
【００７３】
図１９は、図１８の矢印Ｘに沿った方向における｜Ｎｄ−Ｎａ｜のプロファイルを概略的に示す図である。位置０は、ボディ領域１３により構成される第１主面１０ａの部分の位置である。位置ｅは、炭化珪素単結晶基板１１と炭化珪素エピタキシャル層２４との境界面１１ａの位置である。位置０から位置ａ２までの領域はｐ型を有するボディ領域１３である。位置ａ２から位置ａ１までの領域はｎ型を有する第２ドリフト領域１２ｂである。位置ａ１から位置ｅまでの領域はｎ型を有する第１ドリフト領域１２ａである。
【００７４】
ボディ領域１３と第２ドリフト領域１２ｂと第１ドリフト領域１２ａとにより構成される領域において、位置ｘとｎ型不純物の濃度とｐ型不純物の濃度との差の絶対値ｙとの関係を示すプロファイルは、第１極小値Ｃ３と、第１極小値Ｃ３よりも第１主面１０ａ側に位置する第２極小値Ｃ４とを有する。ｎ型不純物の濃度とｐ型不純物の濃度との差の絶対値ｙが第１極小値Ｃ３を示す位置ａ１は、第１ドリフト領域１２ａと第２ドリフト領域１２ｂとの境界である。ｎ型不純物の濃度とｐ型不純物の濃度との差の絶対値ｙが第２極小値Ｃ４を示す位置ａ２は、ボディ領域１３と第２ドリフト領域１２ｂとの境界である。ボディ領域１３におけるｎ型不純物の濃度とｐ型不純物の濃度との差の絶対値ｙの最大値Ｃ５は、第２ドリフト領域１２ｂにおけるｎ型不純物の濃度とｐ型不純物の濃度との差の絶対値ｙの最大値Ｃ２よりも大きくなる。第２ドリフト領域１２ｂにおけるｎ型不純物の濃度とｐ型不純物の濃度との差の絶対値ｙの最大値Ｃ２は、第１ドリフト領域１２ａにおけるｎ型不純物の濃度とｐ型不純物の濃度との差の絶対値ｙの最大値Ｃ１よりも大きい。位置０におけるｎ型不純物の濃度とｐ型不純物の濃度との差の絶対値ｙの値Ｃ９は、ボディ領域１３におけるｎ型不純物の濃度とｐ型不純物の濃度との差の絶対値ｙの最大値Ｃ５よりも小さくてもよい。
【００７５】
次に、ボディ領域１３に対して、たとえばリンなどのｎ型不純物がイオン注入される。図２０に示されるように、ボディ領域１３内におけるｎ型不純物の濃度の最大値Ｃ１０がボディ領域１３のｐ型不純物の濃度の最大値Ｃ５よりも高くなるように、ボディ領域１３に対してｐ型不純物が導入される。これにより、ボディ領域１３と接するソース領域１４が形成される（図２１参照）。ソース領域１４は、第１主面１０ａを構成する。なお、図２０において、一点鎖線で示されるプロファイルは、図１９に示すプロファイルと同じである。
【００７６】
次に、ソース領域１４に対して、たとえばアルミニウムなどのｐ型不純物がイオン注入されることにより、コンタクト領域１８が形成される。コンタクト領域１８は、ソース領域１４を貫通し、ボディ領域１３に接するように形成される。次に、炭化珪素基板１０にイオン注入された不純物を活性化するため活性化アニールが実施される。活性化アニールの温度は、好ましくは１５００℃以上１９００℃以下であり、たとえば１７００℃程度である。活性化アニールの時間は、たとえば３０分程度である。活性化アニールの雰囲気は、好ましくは不活性ガス雰囲気であり、たとえばＡｒ雰囲気である。
【００７７】
以上により、第１主面１０ａと、第１主面１０ａと反対側の第２主面１０ｂとを有する炭化珪素基板が準備される。炭化珪素基板１０は、ｎ型を有するドリフト領域１２と、ドリフト領域１２上に設けられ、ｎ型と異なるｐ型を有するボディ領域１３と、ドリフト領域１２から隔てられるようにボディ領域１３上に設けられ、第１主面１０ａを構成し、かつｎ型を有するソース領域１４とを含む。ドリフト領域１２は、第１ドリフト領域１２ａと、第１ドリフト領域１２ａとボディ領域１３とに挟まれた第２ドリフト領域１２ｂとを有する。第２ドリフト領域１２ｂにおけるｎ型不純物の濃度の最大値は、第１ドリフト領域１２ａにおけるｎ型不純物の濃度の最大値よりも大きい。第１主面１０ａは、炭素面側であり、第２主面１０ｂは、珪素面側であってもよい。第１主面１０ａは、たとえば（０００−１）面または（０００−１）面から２°以上８°以下オフした面である。
【００７８】
次に、トレンチを形成する工程（Ｓ２０：図１３）が実施される。たとえば、ソース領域１４およびコンタクト領域１８から構成される第１主面１０ａ上に、トレンチＴＲ（図１）が形成される位置上に開口を有するマスク層３が形成される。当該マスク層３を用いて、ソース領域１４と、ボディ領域１３と、ドリフト領域１２の一部とがエッチングにより除去される。エッチングの方法としては、たとえば反応性イオンエッチング、特に誘導結合プラズマ反応性イオンエッチングを用いることができる。具体的には、たとえば反応ガスとしてＳＦ6またはＳＦ6とＯ2との混合ガスを用いた誘導結合プラズマ反応性イオンエッチングを用いることができる。エッチングにより、トレンチＴＲ（図１）が形成されるべき領域に、第１主面１０ａに対してほぼ垂直な側部と、側部と連続的に設けられ、かつ第１主面１０ａとほぼ平行な底部とを有する凹部が形成される。
【００７９】
次に、凹部において熱エッチングが行われる。熱エッチングは、第１主面１０ａ上にマスク層３が形成された状態で、たとえば、少なくとも１種類以上のハロゲン原子を有する反応性ガスを含む雰囲気中での加熱によって行い得る。少なくとも１種類以上のハロゲン原子は、塩素（Ｃｌ）原子およびフッ素（Ｆ）原子の少なくともいずれかを含む。当該雰囲気は、たとえば、Ｃｌ2、ＢＣＬ3、ＳＦ6、またはＣＦ4を含む。たとえば、塩素ガスと酸素ガスとの混合ガスを反応ガスとして用い、熱処理温度を、たとえば７００℃以上１０００℃以下として、熱エッチングが行われる。なお、反応ガスは、上述した塩素ガスと酸素ガスとに加えて、キャリアガスを含んでいてもよい。キャリアガスとしては、たとえば窒素（Ｎ2）ガス、アルゴンガス、ヘリウムガスなどを用いることができる。熱エッチングの際に、マスク層は、ＳｉＣに対する選択比が極めて大きいので、ＳｉＣのエッチング中に実質的にエッチングされない。
【００８０】
図２２に示されるように、上記熱エッチングにより、炭化珪素基板１０の第１主面１０ａにトレンチＴＲが形成される。トレンチＴＲは、第２ドリフト領域１２ｂと、ボディ領域１３と、ソース領域１４とを貫通し、かつ第１ドリフト領域１２ａに至る側部ＳＷと、側部ＳＷと連続して設けられた底部ＢＴとにより規定される。底部ＢＴと側部ＳＷとにより形成される角度θは、たとえば１１０°以上１３０°以下である。好ましくは、側部ＳＷは、上述した特殊面を含む。
【００８１】
次に、ゲート絶縁膜を形成する工程（Ｓ３０：図１３）が実施される。ゲート絶縁膜を形成する工程（Ｓ３０：図２３）は、たとえば、珪素層を形成する工程（Ｓ３１：図２３）と、マスク層を形成する工程（Ｓ３２：図２３）と、珪素層の一部を除去する工程（Ｓ３３：図２３）と、マスク層を除去する工程（Ｓ３４：図２３）と、炭化珪素基板を熱酸化する工程（Ｓ３５：図２３）とを主に含んでいる。
【００８２】
珪素層を形成する工程（Ｓ３１：図２３）においては、トレンチＴＲの側部ＳＷおよび底部ＢＴに接し、かつ第１主面１０ａに接する珪素層４が形成される（図２４参照）。珪素層４は、トレンチＴＲを完全には埋めない。珪素層４の厚みは、トレンチＴＲの深さＨ１（図１参照）よりも小さい。珪素層４は、第１主面１０ａにおいてソース領域１４およびコンタクト領域１８に接する。珪素層４は、側部ＳＷにおいて、ソース領域１４とボディ領域１３と第２ドリフト領域１２ｂと第１ドリフト領域１２ａとに接する。珪素層４は、底部ＢＴにおいて、第１ドリフト領域１２ａに接する。
【００８３】
次に、マスク層を形成する工程（Ｓ３２：図２３）が実施される。図２５に示されるように、珪素層４は、側部ＳＷに対面する第１珪素層部４ａと、底部ＢＴに対面する第２珪素層部４ｂとを有する。底部ＢＴに対面する珪素層４の第２珪素層部４ｂ上にマスク層５が形成される。マスク層５は、たとえばレジストである。マスク層５は、第１珪素層部４ａの一部を覆っていてもよい。第１珪素層部４ａの少なくとも一部は、マスク層５から露出している。
【００８４】
次に、珪素層の一部を除去する工程（Ｓ３３：図２３）が実施される。マスク層５を用いて、珪素層４がたとえばエッチングなどにより除去される。これにより、珪素層４の一部が除去される。具体的には、第２珪素層部４ｂが底部ＢＴ上に残されつつ、第１珪素層部４ａが側部ＳＷ上から除去される。第１主面１０ａ上の珪素層４の部分も除去される。
【００８５】
次に、マスク層を除去する工程（Ｓ３４：図２３）が実施される。たとえばドライエッチングまたはウェットエッチングなどの任意の方法により、マスク層５が第２珪素層部４ｂ上から除去される。第２珪素層部４ｂは、底部ＢＴにおいて第１ドリフト領域１２ａに接した状態で残される（図２６参照）。
【００８６】
次に、炭化珪素基板を熱酸化する工程（Ｓ３５：図２３）が実施される。マスク層５を除去する工程後、底部ＢＴ上に第２珪素層部４ｂが残された状態で、炭化珪素基板１０が熱酸化される。第２珪素層部４ｂは、熱酸化により二酸化珪素になる。たとえば、炭化珪素基板１０が、酸素を含む雰囲気中において、たとえば１３００℃以上１４００℃以下の温度で加熱される。これにより、底部ＢＴにおいて第１ドリフト領域１２ａと接し、かつ側部ＳＷにおいて第２ドリフト領域１２ｂと、ボディ領域１３と、ソース領域１４とに接するゲート絶縁膜１５が形成される。ゲート絶縁膜１５は、底部ＢＴに接する第３主面１５ｂ１と、第３主面１５ｂ１と反対側の第４主面１５ｂ２とを有する。
【００８７】
ゲート絶縁膜１５は、側部ＳＷにおいてボディ領域１３に接する第１部分１５ａと、底部ＢＴにおいて第１ドリフト領域１２ａに接する第２部分１５ｂとを含んでいる。底部ＢＴに対して垂直な方向における第２部分１５ｂの厚みは、側部ＳＷに対して垂直な方向における第１部分１５ａの厚みよりも大きくてもよい。第２部分１５ｂの厚みを第１部分１５ａの厚みで除した値は、たとえば１．５以上８以下である。
【００８８】
再び図３を参照して、ボディ領域１３と第２ドリフト領域１２ｂと第１ドリフト領域１２ａとにより構成される領域において、第２主面１０ｂに対して垂直な方向の位置をｘとし、ｎ型不純物の濃度とｐ型不純物の濃度との差の絶対値をｙとしたとき、ｘとｙとの関係を示すプロファイルは、第１極小値Ｃ３と、第１極小値Ｃ３よりも第１主面１０ａ側に位置する第２極小値Ｃ４とを有する。第２主面１０ｂに対して垂直な方向において、第１極小値Ｃ３を示す位置ａ１は、第３主面１５ｂ１の位置ｂ１と第４主面１５ｂ２の位置ｂ２との間にある。第２主面１０ｂに対して垂直な方向において、第２極小値Ｃ４を示す位置ａ２は、第１主面１０ａの位置０と第４主面１５ｂ２の位置ｂ２との間にある。
【００８９】
炭化珪素基板１０を熱酸化した後に、一酸化窒素（ＮＯ）ガス雰囲気中において炭化珪素基板１０に対して熱処理（ＮＯアニール）が行われてもよい。ＮＯアニールにおいて、炭化珪素基板１０が、たとえば１１００℃以上１３００℃以下の条件下で１時間程度保持される。これにより、ゲート絶縁膜１５とボディ領域１３との界面領域に窒素原子が導入される。その結果、界面領域における界面準位の形成が抑制されることで、チャネル移動度を向上させることができる。なお、窒素原子の導入が可能であれば、ＮＯガス以外のガス（たとえばＮ2Ｏ）が雰囲気ガスとして用いられてもよい。ＮＯアニールの後にさらに、雰囲気ガスとしてアルゴン（Ａｒ）を用いるＡｒアニールが行われてもよい。Ａｒアニールの加熱温度は、たとえば上記ＮＯアニールの加熱温度以上である。Ａｒアニールの時間は、たとえば１時間程度である。これにより、ゲート絶縁膜１５とボディ領域１３との界面領域における界面準位の形成がさらに抑制される。
【００９０】
次に、ゲート電極を形成する工程が実施される。たとえば、トレンチＴＲの内部においてゲート絶縁膜１５に接するゲート電極２７が形成される。ゲート電極２７は、トレンチＴＲの内部に配置され、ゲート絶縁膜１５上においてトレンチＴＲの側部ＳＷおよび底部ＢＴの各々と対面するように形成される。ゲート電極２７は、たとえばＬＰＣＶＤ（Ｌｏｗ  Ｐｒｅｓｓｕｒｅ  Ｃｈｅｍｉｃａｌ  Ｖａｐｏｒ  Ｄｅｐｏｓｉｔｉｏｎ）法により形成される。
【００９１】
次に、層間絶縁膜を形成する工程が形成される。たとえば、ゲート電極２７を覆い、かつゲート絶縁膜１５と接するように層間絶縁膜２２が形成される。好ましくは、層間絶縁膜２２は、堆積法により形成され、より好ましくは化学気相成長法により形成される。層間絶縁膜２２は、たとえば二酸化珪素を含む材料からなる。次に、ソース領域１４およびコンタクト領域１８上に開口部が形成されるように、層間絶縁膜２２およびゲート絶縁膜１５の一部がエッチングされる。これにより、コンタクト領域１８およびソース領域１４がゲート絶縁膜１５から露出する（図２８参照）。
【００９２】
次に、ソース電極を形成する工程が実施される。次に、第１主面１０ａにおいてソース領域１４およびコンタクト領域１８に接するソース電極１６が形成される。ソース電極１６は、たとえばスパッタリング法により形成される。ソース電極１６は、たとえばＴｉ、ＡｌおよびＳｉを含む材料からなる。次に、合金化アニールが実施される。具体的には、ソース領域１４およびコンタクト領域１８と接するソース電極１６が、たとえば９００℃以上１１００℃以下の温度で５分程度保持される。これにより、ソース電極１６の少なくとも一部が、炭化珪素基板１０が含む珪素と反応してシリサイド化する。これにより、ソース領域１４とオーミック接合するソース電極１６が形成される。好ましくは、ソース電極１６は、コンタクト領域１８とオーミック接合する。
【００９３】
次に、ソース電極１６と電気的に接続されるソース配線１９が形成される。ソース配線１９は、ソース電極１６および層間絶縁膜２２上に形成される。次に、炭化珪素基板１０の第２主面１０ｂと接するようにドレイン電極２０が形成される。以上により、本実施の形態に係るＭＯＳＦＥＴ１（図１）が完成する。
【００９４】
次に、ゲート絶縁膜を形成する工程の変形例について説明する。
図２９に示されるように、第１主面１０ａにトレンチＴＲが形成された後、トレンチＴＲを完全に埋めるように、珪素層４が第１主面１０ａ上に形成されてもよい。底部ＢＴ上の珪素層４の部分の厚みは、トレンチＴＲの深さＨ１（図１参照）よりも大きい。珪素層４は、第１主面１０ａにおいてソース領域１４およびコンタクト領域１８に接する。珪素層４は、側部ＳＷにおいて、ソース領域１４とボディ領域１３と第２ドリフト領域１２ｂと第１ドリフト領域１２ａとに接する。珪素層４は、底部ＢＴにおいて、第１ドリフト領域１２ａに接する。
【００９５】
次に、第１主面１０ａの全面に対して、たとえばドライエッチングが行われることにより、珪素層４の大部分が除去される。具体的には、珪素層４の一部４ｂが底部ＢＴ上に残されつつ、側部ＳＷおよび第１主面１０ａ上から珪素層４の部分が除去される（図３０参照）。次に、底部ＢＴ上に珪素層４の一部４ｂが残された状態で、炭化珪素基板１０が熱酸化される。これにより、底部ＢＴにおいて第１ドリフト領域１２ａと接し、かつ側部ＳＷにおいて第２ドリフト領域１２ｂと、ボディ領域１３と、ソース領域１４とに接するゲート絶縁膜１５が形成されてもよい（図２７参照）。
【００９６】
なお、上記実施の形態においては、炭化珪素半導体装置は、ＭＯＳＦＥＴの場合について説明したが、炭化珪素半導体装置は、ＭＯＳＦＥＴに限定されない。炭化珪素半導体装置は、たとえばＩＧＢＴ（Ｉｎｓｕｌａｔｅｄ  Ｇａｔｅ  Ｂｉｐｏｌａｒ  Ｔｒａｎｓｉｓｔｏｒ）等であってもよい。また上記実施の形態では、ｎ型を第１導電型とし、かつｐ型を第２導電型して説明したが、ｐ型を第１導電型とし、かつｎ型を第２導電型としてもよい。
【００９７】
次に、実施の形態に係るＭＯＳＦＥＴの作用効果について説明する。
実施の形態に係るＭＯＳＦＥＴ１によれば、第２主面１０ｂに対して垂直な方向において、第２極小値Ｃ４を示す位置ａ２は、第１主面１０ａの位置０と第４主面１５ｂ２の位置ｂ２との間にある。第２極小値Ｃ４を示す位置ａ２は、ボディ領域１３の底部の位置ａ２に対応する。つまり、ボディ領域１３の底部の位置ａ２が、第１主面１０ａの位置０と第４主面１５ｂ２の位置ｂ２との間にある。そのため、ボディ領域１３内におけるチャネル領域上のゲート絶縁膜１５の厚みが大きくなることを抑制することができる。従って、ボディ領域１３の底部の位置ａ２が、第３主面１５ｂ１の位置ｂ１と第４主面１５ｂ２の位置ｂ２との間にある場合と比較して、ＭＯＳＦＥＴ１のオン抵抗を低減することができる。
【００９８】
また実施の形態に係るＭＯＳＦＥＴ１によれば、第２主面１０ｂに対して垂直な方向において、第１極小値Ｃ３を示す位置ａ１は、第３主面１５ｂ１の位置ｂ１と第４主面１５ｂ２の位置ｂ２との間にある。そのため、トレンチＴＲの底部ＢＴ近傍における第１ドリフト領域１２ａの部分におけるｎ型不純物の濃度を低減することができる。結果として、電界緩和領域１７からの空乏層の伸長幅を大きくすることができるので、トレンチＴＲの角部に電界が集中することを抑制することができる。
【００９９】
さらに実施の形態に係るＭＯＳＦＥＴ１によれば、ゲート絶縁膜１５は、側部ＳＷにおいて第２不純物領域１３に接する第１部分１５ａと、底部ＢＴにおいて第１ドリフト領域１２ａに接する第２部分１５ｂとを含んでいる。底部ＢＴに対して垂直な方向における第２部分１５ｂの厚みｔｂは、側部ＳＷに対して垂直な方向における第１部分１５ａの厚みｔｓよりも大きい。第１部分１５ａの厚みｔｓが小さいことにより、チャネルが反転しやすくなるため、ＭＯＳＦＥＴ１のオン抵抗を低減することができる。第２部分１５ｂの厚みｔｂが大きいことにより、底部ＢＴ上のゲート絶縁膜１５が破壊されることを抑制することができる。
【０１００】
さらに実施の形態に係るＭＯＳＦＥＴ１によれば、第２部分１５ｂの厚みｔｂを第１部分１５ａの厚みｔｓで除した値は、１．５以上８以下である。第２部分１５ｂの厚みｔｂを第１部分１５ａの厚みｔｓで除した値を１．５以上とすることにより、トレンチ底のゲート絶縁膜にかかる電界を緩和することができる。第２部分１５ｂの厚みｔｂを第１部分１５ａの厚みｔｓで除した値を８以下とすることにより、ボディ領域１３に第２部分１５ｂを干渉させることなくオン抵抗を低く維持することができる。
【０１０１】
さらに実施の形態に係るＭＯＳＦＥＴ１によれば、第２主面１０ｂに対して垂直な方向における第１主面１０ａと底部ＢＴとの間の距離Ｈ１は、１μｍ以上１．５μｍ以下である。距離Ｈ１を１μｍ以上とすることにより、トレンチ底がボディ領域１３の外部に位置することでオン抵抗の増加を抑制することができる。距離Ｈ１を１．５μｍ以下とすることにより、トレンチ底角部のゲート絶縁膜にかかる電界を緩和することができる。
【０１０２】
さらに実施の形態に係るＭＯＳＦＥＴ１によれば、第２主面１０ｂに対して垂直な方向におけるボディ領域１３の厚みＨ２は、０．４μｍ以上０．８μｍ以下であってもよい。厚みＨ２を０．４μｍ以上とすることにより、ゲート閾値電圧を高くし、ドレイン耐圧を高く維持することができる。厚みＨ２を０．８μｍ以下とすることにより、ボディ領域１３に第２部分１５ｂを干渉させることなくオン抵抗を低く維持することができる。
【０１０３】
さらに実施の形態に係るＭＯＳＦＥＴ１によれば、第２ドリフト領域１２ｂのｎ型不純物の濃度の最大値を第１ドリフト領域１２ａのｎ型不純物の濃度の最大値で除した値は、５以上１０以下であってもよい。第２ドリフト領域１２ｂの第１導電型不純物の濃度の最大値を第１ドリフト領域１２ａの第１導電型不純物の濃度の最大値で除した値を５以上とすることにより、ボディ領域１３から第１ドリフト領域にかけて存在する第２導電型不純物を補償することで、有効チャネル長を制御し、オン抵抗を低くすることができる。第２ドリフト領域１２ｂの第１導電型不純物の濃度の最大値を第１ドリフト領域１２ａの第１導電型不純物の濃度の最大値で除した値を１０以下とすることにより、ボディ領域１３の第２導電型不純物の有効濃度を維持することができ、かつトレンチ底角部に接するゲート絶縁膜にかかる電界を低くすることができる。その結果ドレイン耐圧を維持することができる。
【０１０４】
さらに実施の形態に係るＭＯＳＦＥＴ１によれば、ボディ領域１３のｐ型不純物の濃度の最大値を第２ドリフト領域１２ｂのｎ型不純物の濃度の最大値で除した値は、１０以上１００以下であってもよい。ボディ領域１３のｐ型不純物の濃度の最大値を第２ドリフト領域１２ｂのｎ型不純物の濃度の最大値で除した値を１０以上とすることにより、ゲート閾値電圧を高くし、ドレイン耐圧を高く維持することができる。ボディ領域１３のｐ型不純物の濃度の最大値を第２ドリフト領域１２ｂのｎ型不純物の濃度の最大値で除した値を１００以下とすることにより、ボディ領域１３から第１ドリフト領域にかけて存在するp型不純物を補償することで、有効チャネル長を制御し、オン抵抗を低くすることができる。
【０１０５】
さらに実施の形態に係るＭＯＳＦＥＴ１によれば、側部ＳＷは、面方位｛０−３３−８｝を有する面Ｓ１を含んでいてもよい。これにより、側部ＳＷにおけるチャネル抵抗を低減することができる。
【０１０６】
実施の形態に係るＭＯＳＦＥＴ１の製造方法によれば、ボディ領域１３は、第１ドリフト領域１２ａよりも高いｎ型不純物濃度を有する第２ドリフト領域１２ｂに対してｐ型不純物のイオン注入が行われることにより形成される。それゆえ、ｐ型不純物のチャネリングを抑制することができる。結果として、ボディ領域１３の厚みＨ２を小さくすることができるので、チャネル長を短くすることができる。それゆえ、ＭＯＳＦＥＴ１のオン抵抗を低減することができる。
【０１０７】
また実施の形態に係るＭＯＳＦＥＴ１の製造方法によれば、第２主面１０ｂに対して垂直な方向において、第１極小値Ｃ３を示す位置ａ１は、第３主面１５ｂ１の位置ｂ１と第４主面１５ｂ２の位置ｂ２との間にある。そのため、トレンチＴＲの底部ＢＴ近傍における第１ドリフト領域１２ａの部分におけるｎ型不純物の濃度を低減することができる。結果として、電界緩和領域１７からの空乏層の伸長幅を大きくすることができるので、トレンチＴＲの角部に電界が集中することを抑制することができる。
【０１０８】
さらに実施の形態に係るＭＯＳＦＥＴ１の製造方法によれば、ゲート絶縁膜１５を形成する工程は、側部ＳＷおよび底部ＢＴに接する珪素層４を形成する工程と、底部ＢＴに対面する珪素層４の部分上にマスク層５を形成する工程と、マスク層５を用いて珪素層４の一部を除去する工程と、マスク層５を除去する工程と、マスク層５を除去する工程後、底部ＢＴ上に珪素層４の一部が残された状態で、炭化珪素基板１０を熱酸化する工程とを含んでいる。これにより、底部ＢＴ上のゲート絶縁膜１５の部分の厚みが、側部ＳＷ上のゲート絶縁膜１５の厚みよりも大きいゲート絶縁膜１５を、簡易な方法で製造することができる。
【０１０９】
さらに実施の形態に係るＭＯＳＦＥＴ１の製造方法によれば、トレンチＴＲを形成する工程は、熱エッチングにより行われる。これにより、効果的にトレンチＴＲの側部ＳＷを特殊面にすることができる。結果として、側部ＳＷにおけるチャネル抵抗を低減することができる。
【０１１０】
さらに実施の形態に係るＭＯＳＦＥＴ１の製造方法によれば、第１ドリフト領域１２ａを形成する工程および第２ドリフト領域１２ｂを形成する工程は、炭素および珪素を含むガスを用いて行われてもよい。第２ドリフト領域１２ｂを形成する工程における珪素の原子数を炭素の原子数で除した値は、第１ドリフト領域１２ａを形成する工程における珪素の原子数を炭素の原子数で除した値よりも大きくてもよい。炭素は、珪素よりも窒素を取り込みやすい。そのため、第２ドリフト領域１２ｂを形成する工程において、ｎ型不純物としての窒素を取り込みやすくなる。結果として、効果的に、第２ドリフト領域１２ｂにおけるｎ型不純物の濃度を第１ドリフト領域１２ａにおけるｎ型不純物の濃度よりも高くすることができる。
【０１１１】
さらに実施の形態に係るＭＯＳＦＥＴ１の製造方法によれば、第１主面１０ａは、炭素面側であり、第２主面１０ｂは、珪素面側である。炭素面は、珪素面よりも窒素を取り込みやすい。そのため、効果的に、第１主面１０ａ側に形成される第２ドリフト領域１２ｂのｎ型不純物の濃度を第１ドリフト領域１２ａにおけるｎ型不純物の濃度よりも高くすることができる。またトレンチＴＲの側部ＳＷを特殊面とすることができる。結果として、側部ＳＷにおけるチャネル抵抗を低減することができる。
【０１１２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１３】
１  炭化珪素半導体装置（ＭＯＳＦＥＴ）
３，５  マスク層
４  珪素層
４ａ  第１珪素層部
４ｂ  第２珪素層部（一部）
１０  炭化珪素基板
１０ａ  第１主面
１０ｂ  第２主面
１１  炭化珪素単結晶基板
１１ａ  境界面
１２  第１不純物領域（ドリフト領域）
１２ａ  第１ドリフト領域
１２ｂ  第２ドリフト領域
１３  第２不純物領域（ボディ領域）
１４  第３不純物領域（ソース領域）
１５  ゲート絶縁膜
１５ａ  第１部分
１５ｂ１  第３主面
１５ｂ２  第４主面
１５ｂ  第２部分
１６  ソース電極
１７  電界緩和領域
１８  コンタクト領域
１９  ソース配線
２０  ドレイン電極
２２  層間絶縁膜
２４  炭化珪素エピタキシャル層
２７  ゲート電極
ＢＴ  底部
ＣＤ  チャネル方向
Ｈ１  距離（深さ）
Ｈ２，ｔｂ，ｔｓ  厚み
Ｓ１，Ｓ２，Ｓ３  面
ＳＱ，ＳＲ  複合面
ＳＷ  側部
ＴＲ  トレンチ
【図１】
0006500628.tif 000002
【図２】
0006500628.tif 000003
【図３】
0006500628.tif 000004
【図４】
0006500628.tif 000005
【図５】
0006500628.tif 000006
【図６】
0006500628.tif 000007
【図７】
0006500628.tif 000008
【図８】
0006500628.tif 000009
【図９】
0006500628.tif 000010
【図１０】
0006500628.tif 000011
【図１１】
0006500628.tif 000012
【図１２】
0006500628.tif 000013
【図１３】
0006500628.tif 000014
【図１４】
0006500628.tif 000015
【図１５】
0006500628.tif 000016
【図１６】
0006500628.tif 000017
【図１７】
0006500628.tif 000018
【図１８】
0006500628.tif 000019
【図１９】
0006500628.tif 000020
【図２０】
0006500628.tif 000021
【図２１】
0006500628.tif 000022
【図２２】
0006500628.tif 000023
【図２３】
0006500628.tif 000024
【図２４】
0006500628.tif 000025
【図２５】
0006500628.tif 000026
【図２６】
0006500628.tif 000027
【図２７】
0006500628.tif 000028
【図２８】
0006500628.tif 000029
【図２９】
0006500628.tif 000030
【図３０】
0006500628.tif 000031